(57)【特許請求の範囲】
【請求項１】
１または複数ページ分の画像を形成可能な印刷ジョブに基づき画像を順次形成するとともに、搬送される連続用紙に対し、転写部にて当該画像を順次転写し、連続用紙への画像形成を行う画像形成装置と、
前記転写部にて転写された後の、印刷ジョブに対する印刷物の印刷作業状況を把握する把握手段と、
前記転写部よりも下流側に位置する転写済みページに対応した印刷ジョブを、印刷ジョブ毎にかつ転写が終了した順に保持するとともに、先に転写が終了した印刷ジョブから順に削除する保持手段とを備え、
前記保持手段は、印刷ジョブの削除にあたり、当該印刷ジョブに続いて転写が行われた後続印刷ジョブについての転写済みページ数が予め定められたページ数以上となった場合に、当該印刷ジョブの削除を行うこと
を特徴とする印刷システム。
【請求項２】
前記画像形成装置には、画像の転写が行われた後の連続用紙が順次送り込まれ当該連続用紙が収容される用紙収容部が設けられ、
前記保持手段は、前記転写済みページが前記用紙収容部へ達した後に、当該転写済みページに対応した印刷ジョブを削除すること
を特徴とする請求項１に記載の印刷システム。
【請求項３】
前記画像形成装置には、前記転写部よりも下流側に位置する転写済みページが収容される用紙収容部が設けられ、
前記把握手段は、印刷物の印刷作業状況を把握するにあたり、転写済みページ毎に、当該転写済みページが前記用紙収容部に達したか否かを把握し、
前記画像形成装置は、当該画像形成装置にて生じたエラーの後に行う再印刷にあたり、前記用紙収容部に達したと把握されていない転写済みページから再印刷を行うこと
を特徴とする請求項１に記載の印刷システム。
【請求項４】
１または複数ページ分の画像を形成可能な印刷ジョブに基づき画像を順次形成し、搬送される連続用紙に対して転写部で当該画像を順次転写して連続用紙に画像を形成する画像形成装置にて、当該転写部にて転写された後の、印刷ジョブに対する印刷物の印刷作業状況を把握する把握手段と、
印刷ジョブを前記画像形成装置に送信する送信手段と、
前記転写部よりも下流側に位置する転写済みページに対応した印刷ジョブを、印刷ジョブ毎にかつ転写が終了した順に保持するとともに、先に転写が終了した印刷ジョブから順に削除する保持手段とを備え、
前記保持手段は、印刷ジョブの削除にあたり、当該印刷ジョブに続いて転写が行われた後続印刷ジョブについての転写済みページ数が予め定められたページ数以上となった場合に、当該印刷ジョブの削除を行うこと
を特徴とする情報処理装置。
【請求項５】
前記把握手段は、印刷物の印刷作業状況を把握するにあたり、前記転写部よりも下流側に位置する転写済みページが、当該転写済みページの収容先として前記画像形成装置に設けられた用紙収容部に達したか否かを、転写済みページ毎に把握し、
前記送信手段は、前記画像形成装置にて生じたエラーの後に再印刷が行われる場合に、前記用紙収容部に達したと把握されていない転写済みページに対応した印刷ジョブを当該画像形成装置に送信すること
を特徴とする請求項４に記載の情報処理装置。
【請求項６】
１または複数ページ分の画像を形成可能な印刷ジョブに基づき画像を順次形成し、搬送される連続用紙に対して転写部で当該画像を順次転写して連続用紙に画像を形成する画像形成装置にて、当該転写部にて転写された後の、印刷ジョブに対する印刷物の印刷作業状況を把握する把握手段と、
印刷ジョブを前記画像形成装置に送信する送信手段とを備え、
前記把握手段は、印刷物の印刷作業状況を把握するにあたり、前記転写部よりも下流側に位置する転写済みページが、当該転写済みページの収容先として前記画像形成装置に設けられた用紙収容部に達したか否かを、転写済みページ毎に把握し、
前記送信手段は、前記画像形成装置にて生じたエラーの後に再印刷が行われる場合に、前記転写部にて転写が行われた印刷ジョブに含まれる印刷データのうち、前記用紙収容部に達したと把握される転写済みページに対応した印刷データを除き、当該用紙収容部に達したと把握されていない転写済みページに対応した印刷データを、当該画像形成装置に送信すること
を特徴とする情報処理装置。
【請求項７】
コンピュータに、
１または複数ページ分の画像を形成可能な印刷ジョブに基づき画像を順次形成し、搬送される連続用紙に対して転写部で当該画像を順次転写して連続用紙に画像を形成する画像形成装置にて、当該転写部にて転写された後の、印刷ジョブに対する印刷物の印刷作業状況を把握する機能と、
印刷ジョブを前記画像形成装置に送信する機能と、
前記転写部よりも下流側に位置する転写済みページに対応した印刷ジョブを、印刷ジョブ毎にかつ転写が終了した順に記憶手段に保持させるとともに、先に転写が終了した印刷ジョブから順に削除する機能とを実現させ、
前記削除する機能は、印刷ジョブの削除にあたり、当該印刷ジョブに続いて転写が行われた後続印刷ジョブについての転写済みページ数が予め定められたページ数以上となった場合に、当該印刷ジョブの削除を行うこと
を特徴とするプログラム。
【発明の詳細な説明】
【技術分野】
【０００１】
本発明は、印刷システム、情報処理装置、および、プログラムに関する。
【背景技術】
【０００２】
特許文献１には、片面印刷ジョブに係るページ数が第１エンジンと第２エンジンとの間にある搬送路上のページ数以下になった時点で、中断されている両面印刷ジョブに係る印刷を再開する処理が開示されている。
また、特許文献２には、少なくとも一方の面を印刷する第一プリント装置と、少なくとも他方の面を印刷する第二プリント装置と、第一プリント装置により一方の面を印刷された連続紙の表裏面を反転させて第二プリント装置へ搬送する反転装置とを備える連続紙印刷システムが開示されている。
また、特許文献３には、第１プリンタにてページ枚数を認識するためのマークを印刷する手段と、第１プリンタにて最後に印刷したマークに該当する数字を記憶する手段と、第２プリンタにてマークを認識する手段とを備えたプリンタシステムが開示されている。
【先行技術文献】
【特許文献】
【０００３】
【特許文献１】特開２０１２−１１６１５３号公報
【特許文献２】特開２０１２−０１１５９８号公報
【特許文献３】特開２０１０−０３６５４７号公報
【発明の概要】
【発明が解決しようとする課題】
【０００４】
連続用紙へ画像を転写して画像形成を行う画像形成装置では、連続用紙への画像の転写が行われると、この画像に対応した印刷データを削除可能となる。
ここで、画像形成装置にて用紙詰まりなどのエラーが発生した場合に、再印刷を行うことがあるが、上記のように印刷データを一旦削除してしまうと、この再印刷を行えなくなる。かかる場合、ホストなどから画像形成装置へ印刷データを再送する必要が生じ、再印刷に手間を要するようになる。
本発明の目的は、連続用紙への画像形成を行う画像形成装置にてエラーが発生した場合に行われる再印刷の手間を低減することにある。
【課題を解決するための手段】
【０００５】
請求項１に記載の発明は、１または複数ページ分の画像を形成可能な印刷ジョブに基づき画像を順次形成するとともに、搬送される連続用紙に対し、転写部にて当該画像を順次転写し、連続用紙への画像形成を行う画像形成装置と、前記転写部にて転写された後の、印刷ジョブに対する印刷物の印刷作業状況を把握する把握手段と、前記転写部よりも下流側に位置する転写済みページに対応した印刷ジョブを、印刷ジョブ毎にかつ転写が終了した順に保持するとともに、先に転写が終了した印刷ジョブから順に削除する保持手段とを備え、前記保持手段は、印刷ジョブの削除にあたり、当該印刷ジョブに続いて転写が行われた後続印刷ジョブについての転写済みページ数が予め定められたページ数以上となった場合に、当該印刷ジョブの削除を行うことを特徴とする印刷システムである。
請求項２に記載の発明は、前記画像形成装置には、画像の転写が行われた後の連続用紙が順次送り込まれ当該連続用紙が収容される用紙収容部が設けられ、前記保持手段は、前記転写済みページが前記用紙収容部へ達した後に、当該転写済みページに対応した印刷ジョブを削除することを特徴とする請求項１に記載の印刷システムである。
請求項３に記載の発明は、前記画像形成装置には、前記転写部よりも下流側に位置する転写済みページが収容される用紙収容部が設けられ、前記把握手段は、印刷物の印刷作業状況を把握するにあたり、転写済みページ毎に、当該転写済みページが前記用紙収容部に達したか否かを把握し、前記画像形成装置は、当該画像形成装置にて生じたエラーの後に行う再印刷にあたり、前記用紙収容部に達したと把握されていない転写済みページから再印刷を行うことを特徴とする請求項１に記載の印刷システムである。
請求項４に記載の発明は、１または複数ページ分の画像を形成可能な印刷ジョブに基づき画像を順次形成し、搬送される連続用紙に対して転写部で当該画像を順次転写して連続用紙に画像を形成する画像形成装置にて、当該転写部にて転写された後の、印刷ジョブに対する印刷物の印刷作業状況を把握する把握手段と、印刷ジョブを前記画像形成装置に送信する送信手段と、前記転写部よりも下流側に位置する転写済みページに対応した印刷ジョブを、印刷ジョブ毎にかつ転写が終了した順に保持するとともに、先に転写が終了した印刷ジョブから順に削除する保持手段とを備え、前記保持手段は、印刷ジョブの削除にあたり、当該印刷ジョブに続いて転写が行われた後続印刷ジョブについての転写済みページ数が予め定められたページ数以上となった場合に、当該印刷ジョブの削除を行うことを特徴とする情報処理装置である。
請求項５に記載の発明は、前記把握手段は、印刷物の印刷作業状況を把握するにあたり、前記転写部よりも下流側に位置する転写済みページが、当該転写済みページの収容先として前記画像形成装置に設けられた用紙収容部に達したか否かを、転写済みページ毎に把握し、前記送信手段は、前記画像形成装置にて生じたエラーの後に再印刷が行われる場合に、前記用紙収容部に達したと把握されていない転写済みページに対応した印刷ジョブを当該画像形成装置に送信することを特徴とする請求項４に記載の情報処理装置である。
請求項６に記載の発明は、１または複数ページ分の画像を形成可能な印刷ジョブに基づき画像を順次形成し、搬送される連続用紙に対して転写部で当該画像を順次転写して連続用紙に画像を形成する画像形成装置にて、当該転写部にて転写された後の、印刷ジョブに対する印刷物の印刷作業状況を把握する把握手段と、印刷ジョブを前記画像形成装置に送信する送信手段とを備え、前記把握手段は、印刷物の印刷作業状況を把握するにあたり、前記転写部よりも下流側に位置する転写済みページが、当該転写済みページの収容先として前記画像形成装置に設けられた用紙収容部に達したか否かを、転写済みページ毎に把握し、前記送信手段は、前記画像形成装置にて生じたエラーの後に再印刷が行われる場合に、前記転写部にて転写が行われた印刷ジョブに含まれる印刷データのうち、前記用紙収容部に達したと把握される転写済みページに対応した印刷データを除き、当該用紙収容部に達したと把握されていない転写済みページに対応した印刷データを、当該画像形成装置に送信することを特徴とする情報処理装置である。
請求項７に記載の発明は、コンピュータに、１または複数ページ分の画像を形成可能な印刷ジョブに基づき画像を順次形成し、搬送される連続用紙に対して転写部で当該画像を順次転写して連続用紙に画像を形成する画像形成装置にて、当該転写部にて転写された後の、印刷ジョブに対する印刷物の印刷作業状況を把握する機能と、印刷ジョブを前記画像形成装置に送信する機能と、前記転写部よりも下流側に位置する転写済みページに対応した印刷ジョブを、印刷ジョブ毎にかつ転写が終了した順に記憶手段に保持させるとともに、先に転写が終了した印刷ジョブから順に削除する機能とを実現させ、前記削除する機能は、印刷ジョブの削除にあたり、当該印刷ジョブに続いて転写が行われた後続印刷ジョブについての転写済みページ数が予め定められたページ数以上となった場合に、当該印刷ジョブの削除を行うことを特徴とするプログラムである。
【発明の効果】
【０００６】
請求項１の発明によれば、後続印刷ジョブの転写済みページ数が予め定められたページ数を超えても先行する印刷ジョブを保持しておく場合に比べ、印刷ジョブを保持しておく記憶領域の容量を小さくできる。
請求項２記載の発明によれば、連続用紙上の画像が画像形成装置の用紙収容部へ達した後も印刷ジョブを保持しておく場合に比べ、印刷ジョブを保持しておく記憶領域の容量を小さくできる。
請求項３記載の発明によれば、連続用紙への転写が一旦行われた画像の連続用紙への転写を再び行うことが可能となる。
請求項４記載の発明によれば、後続印刷ジョブの転写済みページ数が予め定められたページ数を超えても先行する印刷ジョブを保持しておく場合に比べ、印刷ジョブを保持しておく記憶領域の容量を小さくできる。
請求項５記載の発明によれば、連続用紙への転写が一旦行われた画像の連続用紙への転写を再び行うことが可能となる。
請求項６記載の発明によれば、連続用紙への転写が一旦行われた画像の連続用紙への転写を再び行うことが可能となる。
請求項７記載の発明によれば、後続印刷ジョブの転写済みページ数が予め定められたページ数を超えても先行する印刷ジョブを保持しておく場合に比べ、印刷ジョブを保持しておく記憶領域の容量を小さくする機能を、コンピュータにより実現できる。
【図面の簡単な説明】
【０００７】
【図１】本実施形態の印刷システムの全体構成を示した図である。
【図２】（Ａ）、（Ｂ）は、プリントサーバの状況把握部における処理を説明する図である。
【図３】プリントサーバの状況把握部における処理を説明する図である。
【図４】図２（Ａ）、図３にて説明した処理の流れを示したフローチャートである。
【図５】プリントサーバの状況把握部における処理の他の例を説明する図である。
【図６】エラー発生による再印刷の処理の流れを示したフローチャートである。
【発明を実施するための形態】
【０００８】
以下、添付図面を参照して、本発明の実施の形態について詳細に説明する。
図１は、本実施形態の印刷システム１００の全体構成を示した図である。
本実施形態の印刷システム１００には、連続用紙Ｐへの画像形成を行う画像形成装置２００が設けられている。また、この印刷システム１００には、画像形成装置２００に接続され、印刷に用いられる印刷データを格納する情報処理装置の一例としてのプリントサーバ３００が設けられている。さらに、プリントサーバ３００へ印刷データを送信するホスト装置（ホストＰＣ）４００が設けられている。
【０００９】
画像形成装置２００には、折り畳まれた状態の連続用紙Ｐ（連帳紙）が置かれる用紙積載部２１０、用紙積載部２１０に置かれた連続用紙Ｐを下流側へ搬送する搬送機構２２０、搬送されてきた連続用紙Ｐに画像を形成する画像形成部２３０、画像形成部２３０によって画像が形成された連続用紙Ｐが順次送り込まれこの連続用紙Ｐを収容する用紙収容部２４０が設けられている。
【００１０】
さらに、画像形成装置２００には、タッチパネル等により構成され、情報の表示やオペレータからの指示を受け付けるＵＩ部（User Interface部）２５０が設けられている。
さらに、画像形成装置２００には、ハードディスク装置などにより構成され、印刷データなどの情報の格納を行う情報格納部２６０が設けられている。また、プリントサーバ３００との間で情報の送受信を行う送受信部２７０が設けられている。
【００１１】
画像形成部２３０は、像保持体として機能する感光体ドラム２３１を有し、いわゆる電子写真方式を用いて、この感光体ドラム２３１上に画像（トナー像）を形成する。そして、転写部Ｔにて、感光体ドラム２３１上の画像を連続用紙Ｐに転写して、連続用紙Ｐへ画像を形成する。
言い換えると、画像形成部２３０は、印刷データに基づき感光体ドラム２３１上に画像を順次形成するとともに、搬送される連続用紙Ｐに対し、形成したこの画像を順次転写して、連続用紙Ｐへ画像を形成する。
【００１２】
プリントサーバ３００について説明する。
プリントサーバ３００は、ホスト装置４００から送信された印刷データを受信する。また、プリントサーバ３００は、受信したこの印刷データを画像形成装置２００へ送信する。
【００１３】
プリントサーバ３００には、通信インターフェース等により構成され、ホスト装置４００から送信されてきた印刷データを受信する受信部３１０が設けられている。また、プリントサーバ３００には、ハードディスク装置等により構成され、印刷データ（印刷ジョブ）を保持する保持手段として機能するデータ保持部３２０が設けられている。さらに、プリントサーバ３００には、通信インターフェース等により構成され、画像形成装置２００に対して印刷ジョブを送信する送信手段として機能する送信部３３０が設けられている。
【００１４】
ホスト装置４００から送信されてきた印刷データは、プリントサーバ３００の受信部３１０により受信される。受信部３１０にて受信された印刷データは、送信部３３０によって画像形成装置２００に送信される。また、受信部３１０にて受信された印刷データは、データ保持部３２０により保持される。
【００１５】
さらに、プリントサーバ３００には、画像形成装置２００における画像形成の状況を把握する把握手段として機能する状況把握部３４０が設けられている。
本実施形態では、画像形成についての進捗状況が画像形成装置２００から状況把握部３４０へ通知され、状況把握部３４０は、画像形成装置２００における進捗状況（即ち、印刷物の印刷作業状況）を把握する。
状況把握部３４０は、ＣＰＵが、ＲＯＭに記憶されているプログラムを読み出し、ＲＡＭを作業エリアにしてプログラムを実行することにより実現される。
【００１６】
なお、プリントサーバ３００にて用いられるプログラムに関する提供形態としては、予めＲＯＭに格納された状態にて提供され、ＲＡＭにロードされる形態がある。さらに、書き換え可能なＲＯＭを備えている場合には、ＣＰＵがセッティングされた後に、プログラムだけがＲＯＭにインストールされ、ＲＡＭにロードされる形態がある。また、インターネット等のネットワークを介してプログラムが伝送され、ＲＯＭにインストールされ、さらに、ＲＡＭにロードされる形態がある。さらにまた、ＤＶＤ−ＲＯＭやフラッシュメモリ等の外部記録媒体からＲＡＭにロードされる形態がある。
【００１７】
図２（Ａ）、（Ｂ）、図３は、プリントサーバ３００の状況把握部３４０における処理を説明する図である。
本実施形態では、画像形成装置２００から状況把握部３４０へ、画像形成装置２００における画像形成の進捗状況が順次通知される。そして、図２（Ａ）の「ジョブ管理リスト」に示すように、状況把握部３４０は、画像形成装置２００にて行われる各印刷ジョブの状況を把握する。印刷ジョブには、１または複数ページ分の印刷データが含まれる。
【００１８】
図２（Ａ）に示すジョブ管理リストでは、「JOB-00001」が最初に画像形成が行われた印刷ジョブを示している。また、この例では、この印刷ジョブ「JOB-00001」は、「削除済み」というステータスとなっており、状況把握部３４０は、印刷ジョブ「JOB-00001」に対応した印刷データについては、削除された状態にあることを把握している。
【００１９】
「削除済み」というステータスは、連続用紙Ｐ上の画像が、画像形成装置２００（図１参照）の用紙収容部２４０へ達するとともに、この画像に対応した印刷データが既に削除された状態を示している。
言い換えると、プリントサーバ３００（図１参照）に設けられたデータ保持部３２０による印刷データの保持が行われておらず、データ保持部３２０が、印刷データの削除を既に行った状況を示している。
【００２０】
さらに説明すると、本実施形態では、印刷ジョブに含まれる全てのページの画像が用紙収容部２４０へ達した状況となると、図２（Ａ）に示すように、状況把握部３４０が、この画像に対応した印刷ジョブを、削除済みジョブリストに移す。
そして、本実施形態では、データ保持部３２０が、保持している複数の印刷データの中から、削除済みジョブリストに載っている印刷ジョブに対応した印刷データを削除する。
【００２１】
一方、図２（Ａ）に示すように、印刷ジョブ「JOB-00002」〜「JOB-00007」については、状況把握部３４０は、「転写完了」というステータスにあることを把握している。
「転写完了」というステータスは、印刷ジョブ「JOB-00002」〜「JOB-00007」の各々に対応した各印刷データにより連続用紙Ｐ上に形成された画像（転写された画像）が、未だ用紙収容部２４０（図１参照）へ達しておらず、転写部Ｔと用紙収容部２４０との間に位置している状況を示している。
【００２２】
より具体的には、画像形成装置２００では、転写部Ｔと用紙収容部２４０とは離間しており、転写部Ｔと用紙収容部２４０との間には、複数ページ分の画像が位置する。
「JOB-00002」〜「JOB-00007」に基づき連続用紙Ｐ上に形成された各画像については、未だ用紙収容部２４０に達しておらず、転写部Ｔと用紙収容部２４０との間に位置している。
【００２３】
また、状況把握部３４０は、印刷ジョブ「JOB-00008」については、「印刷中」というステータスにあることを把握している。
「印刷中」というステータスは、印刷ジョブ「JOB-00008」に対応した画像が、転写部Ｔにて、連続用紙Ｐに転写されている最中であることを示している。
【００２４】
図２（Ｂ）は、比較例における印刷状況を示した図である。
この比較例では、転写部Ｔにて転写が行われた画像に対応した印刷ジョブについては、転写後すぐに、印刷ジョブの各々に対応した印刷データを削除する。
このため、この比較例では、転写が行われている最中の印刷ジョブ「JOB-00008」を除き、印刷ジョブ「JOB-00001」〜「JOB-00007」に対応した各印刷データが、削除された状態となっている。
【００２５】
図３を参照し、状況把握部３４０における処理をさらに具体的に説明する。なお、図３では、図２とは異なり、図中下方に位置する印刷ジョブほど先に実行された印刷ジョブを示している。
【００２６】
状況把握部３４０は、図３に示すジョブ管理リストを生成する。
また、状況把握部３４０は、新たな印刷ジョブがホスト装置４００からプリントサーバ３００へ送信されてきたり、画像形成装置２００にて新たなページへの印刷（転写）が開始されたりすると、ジョブ管理リストを更新する。
【００２７】
ここで、図３に示すジョブ管理リストでは、印刷ジョブ「X0001-0006」〜「X0001-0001」、「X0000-0002」については、２ページ分の画像を含んだ印刷ジョブであることを示しており、「X0000-0001」については、１０ページ分の画像を含んだ印刷ジョブであることを示している。
また、このジョブ管理リストでは、印刷ジョブ「X0001-0006」に含まれる２ページ分の画像のうちの、２ページ目の画像が、連続用紙Ｐに転写されている最中にあることを示している。
【００２８】
ここで、本実施形態では、状況把握部３４０は、画像形成装置２００にて現在搬送されている連続用紙Ｐの用紙サイズに基づき、転写部Ｔと用紙収容部２４０との間に位置するページ数（以下、「基準ページ数」と称する）を把握する。本実施の形態では、予め定められたページ数の一例として、基準ページ数が用いられる。
より具体的には、連続用紙Ｐには、長手方向と直交する方向に延びるミシン目や折り目や境界線が形成されており、長手方向において互いに隣接するミシン目、折り目、境界線の間に位置する部分のサイズが用紙サイズとなる。状況把握部３４０は、この用紙サイズに基づき基準ページ数を把握する。
【００２９】
具体的には、状況把握部３４０は、例えば、連続用紙Ｐの用紙サイズが１１インチである場合、基準ページ数が６ページであると把握する。この場合、６ページを超える７ページ目については、用紙収容部２４０に達することを意味する。
【００３０】
ここで、基準ページ数は、連続用紙Ｐの用紙サイズによって異なり、用紙サイズが小さいほど基準ページ数が大きくなり、用紙サイズが大きいほど基準ページ数が小さくなる。
なお、状況把握部３４０による基準ページ数の把握は、例えば、用紙サイズと基準ページ数との対応関係を記したテーブルをプリントサーバ３００内に格納しておき、状況把握部３４０がこのテーブルを参照することで、状況把握部３４０による基準ページ数の把握が行われる。
【００３１】
さらに、本実施形態では、ジョブ管理リスト（図３参照）の最右欄で示しているように、状況把握部３４０は、転写が終了したページのページ数を加算して合計値を算出する。
より具体的には、直近に転写が行われたページを１ページ目とし、さらに、このページよりも前に転写が行われたページのページ数を、印刷ジョブ毎に順に加算し、合計値を得る。
【００３２】
さらに説明すると、状況把握部３４０は、転写が行われている最中の印刷ジョブに含まれるページ数のうちの転写済みのページ数に対し、既に転写が行われた各印刷ジョブに含まれるページ数を順次加算して、印刷ジョブ毎に合計値を得る。
【００３３】
そして、状況把握部３４０は、新たなページへの転写が行われ、新たな合計値を得る度に、この合計値と基準ページ数（本実施形態では、基準ページ数は６）とを比較する。そして、状況把握部３４０は、各印刷ジョブのうち、合計値が基準ページ数を超えた印刷ジョブについては、ステータスを「削除済み（排出完了）」とする。
ここで、図３に示す例では、印刷ジョブ「X0001-0002」〜「X0001-0001」、「X0000-0002」〜「X0000-0001」については、合計値が基準ページ数を超え、ステータスが「削除済み」となっている。
【００３４】
なお、印刷ジョブ「X0001-0003」については、合計値が７であり、一応、合計値が基準ページ数を超えているが、印刷ジョブ「X0001-0003」に後続する印刷ジョブ「X0001-0004」の合計値が６未満となっている。
この場合、印刷ジョブ「X0001-0003」により形成される複数ページ分の画像のうちの一部の画像が、転写部Ｔと用紙収容部２４０との間に未だ位置している状態であり、この場合は、ステータスを「削除済み」とせず、ステータスを「転写完了」のままとする。
【００３５】
ここで、状況把握部３４０は、ステータスが「削除済み」となった印刷ジョブについては、図２（Ａ）にて説明した通り、削除済みジョブリストに載せる。
これにより、データ保持部３２０にて、削除済みジョブリストに載った印刷ジョブに対応した印刷データが削除される。より具体的には、データ保持部３２０が保持している複数の印刷データの中から、削除済みジョブリストに載った印刷ジョブに対応した印刷データが削除される。
【００３６】
ここで、図３に示す例では、印刷ジョブ「X0001-0002」〜「X0001-0001」、「X0000-0002」〜「X0000-0001」の４つの印刷ジョブが、合計値が基準ページ数を超えた印刷ジョブであり、この４つの印刷ジョブは、ステータスが「削除済み」となり、この４つの印刷ジョブに対応した印刷データは削除される。
一方で、印刷ジョブ「X0001-0005」〜「X0001-0003」は、合計値が基準ページ数を超えておらず、これらの印刷ジョブは、ステータスが「転写完了」のままとなる。
【００３７】
さらに説明すると、印刷ジョブ「X0001-0002」〜「X0001-0001」、「X0000-0002」〜「X0000-0001」の４つの印刷ジョブに基づき連続用紙Ｐ上に形成された画像は、いずれも用紙収容部２４０（図１参照）に達しており、本実施形態では、この用紙収容部２４０に達した画像の元となった印刷データは削除される。
【００３８】
一方、印刷ジョブ「X0001-0006」〜「X0001-0003」に基づき連続用紙Ｐ上に形成された画像は、未だ用紙収容部２４０に達しておらず、用紙収容部２４０に達していない画像の元となった印刷データについては削除せず、データ保持部３２０に保持させておく。
さらに説明すると、本実施形態では、転写が終了した印刷データであっても、基準ページ数分（この例では６ページ分）の印刷データは保持しておき、この基準ページ数分を超える印刷データを削除する。
【００３９】
付言すると、状況把握部３４０は、転写部Ｔにて転写された後の、印刷ジョブに対する印刷物の印刷作業状況、即ち、転写部Ｔよりも下流側に位置する転写済みページに対応した印刷ジョブの進捗状況を把握する。そして、印刷ジョブの進捗状況を把握するにあたり、状況把握部３４０は、転写済みページ毎に、転写済みページが用紙収容部２４０に達したか否かを把握する。転写済みページが用紙収容部２４０に達していれば、その転写済みページについては、転写部Ｔと用紙収容部２４０との間に位置せずに排出が完了していることとなる。一方、転写済みページが用紙収容部２４０に達していなければ、その転写済みページは、転写部Ｔと用紙収容部２４０との間に位置しており、まだ排出が完了していないといえる。
【００４０】
また、データ保持部３２０は、転写が終了した転写済みページに対応した印刷ジョブを、印刷ジョブ毎にかつ転写が終了した順に保持するとともに、先に転写が終了した印刷ジョブから順に削除する。そして、データ保持部３２０は、転写済みページが用紙収容部２４０へ達した後に、その転写済みページに対応した印刷ジョブを削除する。
即ち、印刷ジョブが連続して画像形成装置２００に送信された場合には、先行する印刷ジョブの後に転写が行われた１または複数の後続する印刷ジョブについて、転写済みページ数の合計が基準ページ数以上になれば、先行する印刷ジョブの最後のページはすでに用紙収容部２４０へ達している。そのため、データ保持部３２０は、先行する印刷ジョブの削除を行う。
【００４１】
図４は、図２（Ａ）、図３にて説明した処理の流れを示したフローチャートである。
本実施形態では、まず、画像形成装置２００にて画像形成が開始される際に、状況把握部３４０が、図３にて示したジョブ管理リストの最右欄の合計値をクリアする（ステップ１０１）。
そして、画像形成装置２００にて画像形成が開始されると、画像形成についての進捗状況が画像形成装置２００から状況把握部３４０へ通知され、状況把握部３４０は、各印刷ジョブの状況（ページ単位での進捗状況）を把握する（ステップ１０２）。
【００４２】
次いで、状況把握部３４０が、新たなページへの転写が行われる度に、印刷ジョブ毎の新たな合計値を取得（算出）する（ステップ１０３）。
次いで、状況把握部３４０は、新たな合計値を得る度に、各印刷ジョブ毎に、合計値が基準ページ数を超えたか否かを判断する（ステップ１０４）。
【００４３】
そして、状況把握部３４０は、ステップ１０４にて、ある印刷ジョブ（以下、「先行印刷ジョブ」と称する）の合計値が、基準ページ数を超えた場合、この先行印刷ジョブに後続する（この先行印刷ジョブの次に印刷処理が行われる）印刷ジョブ（以下、「後続印刷ジョブ」と称する）の合計値に着目する。そして、状況把握部３４０は、後続印刷ジョブの合計値が基準ページ数以上であるか否かを判断する（ステップ１０５）。
【００４４】
そして、状況把握部３４０は、ステップ１０５にて、後続印刷ジョブの合計値が基準ページ数以上であると判断した場合、先行印刷ジョブのステータスを「削除済み」とし（ステップ１０６）、この先行印刷ジョブを削除済みジョブリストに載せる。
次いで、データ保持部３２０が、削除済みジョブリストに載った先行印刷ジョブ（の印刷データ）を削除する（ステップ１０７）。
一方、ステップ１０４にて、何れの合計値も基準ページ数を超えていないと判断された場合、また、ステップ１０５にて、後続印刷ジョブの合計値が基準ページ数未満であると判断された場合、ステップ１０３以降の処理を再び行う。
【００４５】
本実施形態では、上記のように、後続印刷ジョブの合計値が基準ページ数以上であるか否かを判断する。ここで、後続印刷ジョブの合計値が基準ページ数未満の場合、先行印刷ジョブの最終ページなどの一部のページが、用紙収容部２４０（図１参照）に達していない状態（転写部Ｔと用紙収容部２４０との間に未だ位置している状態）となる。
言い換えると、先行印刷ジョブに含まれる複数ページ分の画像のうち、一部の画像が、転写部Ｔと用紙収容部２４０との間に未だ位置している状態となる。
【００４６】
かかる場合に、この先行印刷ジョブを削除してしまうと、後に再印刷を行う場合に、この再印刷に手間を要する（詳細は後述）。このため、本実施形態では、合計値が基準ページ数を超えても印刷ジョブをすぐには削除せず、後続する印刷ジョブの合計値も参照するようにしている。
【００４７】
ここで、図５を参照し、状況把握部３４０における処理の他の例について説明する。図５は、プリントサーバ３００の状況把握部３４０における処理の他の例を説明する図である。図５に示すジョブ管理リストでは、図３と同様に、図中下方に位置する印刷ジョブほど先に実行された印刷ジョブを示している。また、図５に示す印刷ジョブは、図３に示す印刷ジョブと比べてデータ量（ページ数）が大きいものとなっている。なお、図５に示す例では、基準ページ数が６ページであるものとする。
【００４８】
図５に示すジョブ管理リストでは、印刷ジョブ「Y0001-0001」〜「Y0001-0003」については、１０００ページ分の画像を含んだ印刷ジョブであることを示している。また、このジョブ管理リストでは、印刷ジョブ「Y0001-0001」、「Y0001-0002」については転写が終了し、印刷ジョブ「Y0001-0003」に含まれる１０００ページ分の画像のうちの、５ページ目の画像が、連続用紙Ｐに転写されている最中（印刷中）であることを示している。
さらに、ジョブ管理リストの最右欄で示しているように、各印刷ジョブについて、転写が終了したページのページ数を加算した合計値は、「Y0001-0001」〜「Y0001-0003」の順に、「２００５」、「１００５」、「５」である。
【００４９】
ここで、印刷ジョブ「Y0001-0001」、「Y0001-0002」は、図４のステップ１０４において、合計値が基準ページ数（この例では６ページ）を超えた印刷ジョブと判断される。また、印刷ジョブ「Y0001-0001」は、後続する印刷ジョブ「Y0001-0002」の合計値が「１００５」で基準ページ数以上である。即ち、印刷ジョブ「Y0001-0001」は、図４のステップ１０５において、後続印刷ジョブの合計値が基準ページ数以上であると判断され、ステータスは「削除済み」となる。付言すると、状況把握部３４０にて後続印刷ジョブ「Y0001-0002」の合計値が「６」と把握された段階で、印刷ジョブ「Y0001-0001」のステータスは「削除済み」となる。そして、データ保持部３２０は、印刷ジョブ「Y0001-0001」を削除する。
【００５０】
一方、印刷ジョブ「Y0001-0002」について、後続する印刷ジョブ「Y0001-0003」の合計値は「５」で、基準ページ数未満である。即ち、印刷ジョブ「Y0001-0002」は、図４のステップ１０５において、後続印刷ジョブの合計値が基準ページ数未満であると判断され、ステータスは「転写完了」のままである。付言すると、この後、画像形成装置２００の処理が進み、状況把握部３４０にて後続印刷ジョブ「Y0001-0003」の合計値が「６」と把握されると、印刷ジョブ「Y0001-0002」のステータスは「削除済み」となる。そして、データ保持部３２０は、印刷ジョブ「Y0001-0002」を削除する。
【００５１】
ここで、本実施形態では、画像形成装置２００にて、用紙詰まりなどのエラー（アラーム）が発生した場合は、画像形成装置２００のＵＩ部２５０上に、エラーが発生した旨を表示する。また、ＵＩ部２５０を通じ、エラーの原因が解消した後の動作内容を、オペレータから受け付ける。
【００５２】
ここで、オペレータが画像形成の中止を希望する場合、画像形成装置２００は、印刷ジョブの削除を行う。また、オペレータが画像形成の継続を希望する場合は、再印刷（リカバリー印刷）を行う。なお、再印刷は、通常、エラー発生時に画像形成装置２００の機内に位置していた連続用紙Ｐを全て除去したうえで、除去した連続用紙Ｐに形成しようとしていた画像を、新たな連続用紙Ｐに対して形成する。
【００５３】
ここで、本実施形態では、再印刷を行う場合、図３にて示したジョブ管理リストにて、ステータスが「印刷中」、「転写完了」となっている印刷ジョブについて再印刷を行い、「削除済み」となっている印刷ジョブについては再印刷を行わない。
【００５４】
なお、本実施形態にて再印刷が行われる場合、再印刷のための印刷データ（印刷ジョブ）が、プリントサーバ３００のデータ保持部３２０から読み出され、送信部３３０によって、読み出されたこの印刷データが画像形成装置２００へ送信される。
ここで、ステータスが「印刷中」となっている印刷ジョブについては、転写済みのページに対応した印刷データが、送信部３３０により画像形成装置２００へ送信される。
また、ステータスが「転写完了」となっている印刷ジョブについては、用紙収容部２４０へ達している転写済みページもあれば、用紙収容部２４０へまだ達していない転写済みページもある。そのため、送信部３３０は、まだ用紙収容部２４０まで達していないページ（即ち、まだ排出が完了していないページ）に対応した印刷データを画像形成装置２００へ送信する。ただし、送信部３３０は、ステータスが「印刷中」、「転写完了」の印刷ジョブの全てのページ分の印刷データを送信しても良い。画像形成装置２００は、受信した印刷データをもとに、用紙収容部２４０へまだ達していないページ（まだ排出完了していないページ）から、再印刷を行う。
【００５５】
このように、本実施形態では、連続用紙Ｐ上の画像が用紙収容部２４０に達した印刷ジョブについて印字保証をし（印字が正常に終了したとみなし）、再印刷時には、用紙収容部２４０に画像が達してない印刷ジョブを対象として印刷を行う。
さらに説明すると、ステータスが「印刷中」、「転写完了」となっている印刷ジョブについては、削除されておらず、データ保持部３２０により保持されており、データ保持部３２０にて保持されているこの印刷ジョブを画像形成装置２００へ送信して再印刷を行う。
【００５６】
ここで、本実施形態では、再印刷にあたり、ホスト装置４００からプリントサーバ３００への印刷ジョブの再送信が不要となり、ホスト装置４００からプリントサーバ３００への印刷ジョブの再送信が必要な場合に比べ、再印刷をより簡易に行える。
図２（Ｂ）にて示した比較例では、転写が終了すると印刷データが削除されるため、ホスト装置４００からプリントサーバ３００への印刷ジョブの再送信が必要であり、本実施形態に比して、再印刷に手間を要する。
【００５７】
また、図２（Ｂ）にて示した比較例の場合、印刷ジョブの各々について、転写が完了しているか否かのステータスは把握できるが、排出完了になっているか否かは不明である。
このため、図２（Ｂ）にて示した比較例にて、紙詰まりなどのエラーが発生し、再印刷を行う際には、オペレータが、画像形成装置２００の用紙収容部２４０を目視等で確認して、何れの印刷ジョブまでが完了しているか否かを確認する必要がある。
【００５８】
これに対し、本実施形態では、「排出完了」までのステータスを把握可能となっている。付言すると、「削除済み」のステータスを、「排出完了」のステータスとみなすことができ、「排出完了」までのステータスを把握可能となっている。そして、本実施形態では、ステータスが「排出完了」となっている印刷ジョブについては、画像形成が終了していることが明確に分かる。このため、本実施形態では、用紙収容部２４０を目視で確認して、何れの印刷ジョブまでが終了しているかの確認を行わずに済み、未だ「排出完了」となっていない状態の印刷ジョブについて再印刷を行えばよい。
【００５９】
また、エラーが発生した場合、転写中の印刷ジョブについてまだ排出が開始されていなければ、その前に先行して転写された印刷ジョブの画像はまだ用紙収容部２４０に達していない。そのため、転写中の印刷ジョブに加えて、その前に転写された印刷ジョブについても、画像形成装置２００へ送信される。画像形成装置２００では、受信した印刷ジョブをもとに、まだ排出が完了していないページについて再印刷が行われる。
【００６０】
図６は、エラー発生による再印刷の処理の流れを示したフローチャートである。
用紙詰まりなどのエラーが発生した場合、ＵＩ部２５０上に、エラーが発生した旨を表示する。そして、ＵＩ部２５０を通じ、オペレータから再印刷の希望を受け付けたか否かを判断する（ステップ２０１）。再印刷を受け付けていないと判断された場合（ステップ２０１でＮＯ）、本処理フローは終了する。一方、再印刷を受け付けたと判断された場合（ステップ２０１でＹＥＳ）、状況把握部３４０は、ジョブ管理リストにより各印刷ジョブの状況を把握する（ステップ２０２）。
【００６１】
ここで、状況把握部３４０は、ステータスが「転写完了」の印刷ジョブがあるか否かを判断する（ステップ２０３）。「転写完了」の印刷ジョブがない場合（ステップ２０３でＮＯ）、後述するステップ２０９へ移行する。一方、「転写完了」の印刷ジョブがある場合（ステップ２０３でＹＥＳ）、状況把握部３４０は、「転写完了」の印刷ジョブで最も合計値の大きい印刷ジョブを選択する（ステップ２０４）。言い換えると、状況把握部３４０は、最も先行して転写が行われた印刷ジョブを選択する。そして、状況把握部３４０は、選択した印刷ジョブの合計値が基準ページ数を超えているか否かを判断する（ステップ２０５）。
【００６２】
合計値が基準ページ数を超えている場合（ステップ２０５でＹＥＳ）、選択した印刷ジョブには、用紙収容部２４０へ達した転写済みページもあれば、用紙収容部２４０へまだ達していない転写済みページもある。そこで、送信部３３０は、用紙収容部２４０へまだ達していない転写済みページに対応した印刷データを、画像形成装置２００へ送信する（ステップ２０６）。また、他の「転写完了」の印刷ジョブ（即ち、選択した印刷ジョブに後続する印刷ジョブ）については、いずれのページもまだ用紙収容部２４０まで達していない。そこで、送信部３３０は、他の「転写完了」の印刷ジョブを全て画像形成装置２００へ送信する（ステップ２０７）。
【００６３】
また、ステップ２０５において、合計値が基準ページ数以下の場合（ステップ２０５でＮＯ）、選択した印刷ジョブも含めて、「転写完了」の全ての印刷ジョブについて、いずれのページもまだ用紙収容部２４０まで達していない。そのため、送信部３３０は、「転写完了」の印刷ジョブを全て画像形成装置２００へ送信する（ステップ２０８）。
ステップ２０７の後、ステップ２０８の後、またはステップ２０３で否定の判断（ＮＯ）がされた場合、送信部３３０は、ステータスが「印刷中」の印刷ジョブを画像形成装置２００へ送信する（ステップ２０９）。さらに、送信部３３０は、エラー発生時には転写が未だ行われておらずこれから転写が行われる印刷ジョブ（以下、「未印刷ジョブ」と称する）を画像形成装置２００へ送信する（ステップ２１０）。そして、本処理フローは終了する。
【００６４】
最後に、本実施形態の印刷システム１００の一連の処理の流れを説明する。
本実施形態では、まず、ホスト装置４００（図１参照）からプリントサーバ３００へ印刷ジョブ（印刷データ）が送信され、次いで、プリントサーバ３００から画像形成装置２００へ印刷ジョブが送信される。また、このとき、印刷ジョブ（印刷データ）が、プリントサーバ３００のデータ保持部３２０により保持される。
【００６５】
次いで、画像形成装置２００にて連続用紙Ｐへの画像形成が開始される。
画像形成装置２００にて画像形成が開始されると、画像形成装置２００における進捗状況がプリントサーバ３００へ通知され、プリントサーバ３００の状況把握部３４０は、図２（Ａ）、図３、図５にて示したジョブ管理リストを用いて、各印刷ジョブの状況を把握する。
【００６６】
具体的には、状況把握部３４０は、上記のとおり、画像の転写が行われた印刷ジョブについては、ステータスを「転写完了」とする。また、全てのページに関して用紙収容部２４０まで画像が達した印刷ジョブについては、ステータスを「削除済み（排出完了）」とする。
ここで、「転写完了」というステータスにある印刷ジョブについては、上記の通り、削除されずに、データ保持部３２０によって保持されたままとなる。また、「削除済み」というステータスにある印刷ジョブについては、削除される。
【００６７】
そして、画像形成装置２００にて用紙詰まりなどのエラーが発生した場合には、画像形成装置２００における画像形成動作（用紙搬送動作や画像形成動作）が停止し、さらに、エラーが発生した旨が画像形成装置２００からプリントサーバ３００へ通知される。
その後、オペレータによって、画像形成装置２００内の全ての用紙が除去され、次いで、再印刷が行われる。
【００６８】
再印刷では、プリントサーバ３００の送信部３３０（図１参照）が、ジョブ管理リストに載っている印刷ジョブのうち、ステータスが「転写完了」となっている印刷ジョブ（データ保持部３２０により保持されている印刷ジョブ）を画像形成装置２００へ送信する。
また、送信部３３０は、ステータスが「印刷中」となっている印刷ジョブを画像形成装置２００へ送信する。さらに、送信部３３０は、エラー発生時には転写が未だ行われておらずこれから転写が行われる印刷ジョブ（即ち、未印刷ジョブ）を画像形成装置２００へ送信する。
【００６９】
そして、画像形成装置２００の送受信部２７０（図１参照）が、これらの印刷ジョブを受信し、これらの印刷ジョブに基づき画像形成が行われる。
画像形成装置２００では、画像形成に際し、エラー発生時に「転写完了」というステータスを有していた印刷ジョブについての画像形成を最初に行う。ここでは、画像形成装置２００は、転写は完了していたがまだ排出されていなかったページについて画像形成を行う。次いで、エラー発生時に「印刷中」というステータスを有していた印刷ジョブについての画像形成を行う。その後、上記未印刷ジョブに基づき画像形成を行う。
【００７０】
なお、本発明を実施の形態を用いて説明したが、本発明の技術的範囲は上記実施の形態には限定されない。本発明の精神および範囲から逸脱することなく様々に変更したり代替態様を採用したりすることが可能なことは、当業者に明らかである。
【符号の説明】
【００７１】
１００…印刷システム、２００…画像形成装置、２１０…用紙積載部、２２０…搬送機構、２３０…画像形成部、２４０…用紙収容部、２５０…ＵＩ部、２６０…情報格納部、２７０…送受信部、３００…プリントサーバ、３１０…受信部、３２０…データ保持部、３３０…送信部、３４０…状況把握部、４００…ホスト装置、Ｔ…転写部、Ｐ…連続用紙
【図１】
0006493054.tif 000002
【図２】
0006493054.tif 000003
【図３】
0006493054.tif 000004
【図４】
0006493054.tif 000005
【図５】
0006493054.tif 000006
【図６】
0006493054.tif 000007